(57)【要約】【課題】切断された目安ロープが地上または地上の構造物に落下しないようにする。【解決手段】クレーンなどの重機のブームがそれを超えて、鉄塔Ｔ１，Ｔ２間に配線された送電線Ｃ，…に接触することを防止するために、送電線Ｃ，…の下方に平行して、鉄塔Ｔ１，Ｔ２間に架設される複数の目安ロープ２，２と、目安ロープ２に連結できるように構成される連結部材５，…が所定の間隔をおいて配置され、各連結部材５，…によって、一対の目安ロープ２，２を全長に亘って交互に連結する単数または複数の渡りロープ３とを備える。【選択図】図１
2011172448.tif 000002
【特許請求の範囲】
【請求項１】
クレーンなどの重機のブームがそれを超えて、鉄塔（Ｔ１，Ｔ２）間に配線された送電線（Ｃ，…）に接触することを防止するために、送電線（Ｃ，…）の下方に平行して、鉄塔（Ｔ１，Ｔ２）間に架設される複数の目安ロープ（２，２）と、
目安ロープ（２，２）に連結できるように構成される連結部材（５，…）が所定の間隔をおいて配置され、各連結部材（５，…）によって、一対の目安ロープ（２，２）を全長に亘って交互に連結する単数または複数の渡りロープ（３）とを備えたことを特徴とする目安ロープ落下防止装置。
【請求項２】
クレーンなどの重機のブームがそれを超えて、鉄塔（Ｔ１，Ｔ２）間に配線された送電線（Ｃ，…）に接触することを防止するために、該送電線（Ｃ，…）の下方に平行して、鉄塔（Ｔ１，Ｔ２）間に架設される複数の目安ロープ（２，…）と、
目安ロープ（２）に連結できるように構成される連結部材（５，…）が所定の間隔をおいて配置され、該各連結部材（５，…）によって、一方端の目安ロープ（２）から他方端の目安ロープ（２）に順次連結された後、他方端の目安ロープ（２）から一方端の目安ロープ（２）に順次連結され、さらに、この連結が、各目安ロープ（２，…）の全長に亘って繰り返される単数の渡りロープ（３）とを備えたことを特徴とする目安ロープ落下防止装置。
【請求項３】
前記連結部材（５）は、一部が開閉できるように構成されるフレーム（６）と、該フレーム（６）の上部に回転自在に支持され、目安ロープ（２）に引っ掛けられるローラ（７）と、重機のブームの接触によって切断された目安ロープ（２）の落下移動を、自重落下して圧接することで阻止できる重量を有し、フレーム（６）の内側下部に、目安ロープ（２）から離間する位置と、目安ロープ（２）に当接する位置とに自重落下によって移動するように設けられるストッパ（８）と、ローラ（７）の中心を通る鉛直線上に位置するように、フレーム（６）の下端部に設けられる渡りロープ（３）の挿通部（９）とを備えたことを特徴とする請求項１または２に記載の目安ロープ落下防止装置。
【請求項４】
前記連結部材（２０）は、一部が開閉できるように構成されるフレームからなり、前記目安ロープ（２）は、該フレームの内径よりもやや大きい外径を有する弾性部材で構成されるストッパ（２５）が所定の間隔をおいて配置されることを特徴とする請求項１または２に記載の目安ロープ落下防止装置。
【請求項５】
クレーンなどの重機のブームがそれを超えて、鉄塔（Ｔ１，Ｔ２）間に配線された送電線（Ｃ，…）に接触することを防止するための複数の目安ロープ（２，２）を、該送電線（Ｃ，…）の下方に平行するように、鉄塔（Ｔ１，Ｔ２）間に架設した後、
目安ロープ（２）に連結できるように構成される連結部材（５，２０）が所定の間隔をおいて配置される単数または複数の渡りロープ（３）を、各連結部材（５，２０）によって、一対の目安ロープ（２，２）を全長に亘って交互に連結するようにしたことを特徴とする目安ロープ落下防止装置の張設方法。
【請求項６】
クレーンなどの重機のブームがそれを超えて、鉄塔（Ｔ１，Ｔ２）間に配線された送電線（Ｃ，…）に接触することを防止するための複数の目安ロープ（２，…）を、該送電線（Ｃ，…）の下方に平行するように、鉄塔（Ｔ１，Ｔ２）間に架設した後、
目安ロープ（２）に連結できるように構成される連結部材（５，２０）が所定の間隔をおいて配置される単数の渡りロープ（３）を、各連結部材（５，２０）によって、一方端の目安ロープ（２）から他方端の目安ロープ（２）に順次連結した後、他方端の目安ロープ（２）から一方端の目安ロープ（２）に順次連結し、さらに、この連結を、各目安ロープ（２，…）の全長に亘って繰り返すようにしたことを特徴とする目安ロープ落下防止装置の張設方法。
【発明の詳細な説明】
【技術分野】
【０００１】
本発明は、例えば、鉄塔間の送電線付近でクレーン作業する場合、クレーンなどの重機のブームが送電線に接触しないように、送電線の下方に一対の目安ロープを平行して、鉄塔間に架設する目安ロープ落下防止装置及びその張設方法に関する。
【背景技術】
【０００２】
一般に、前記目安ロープを張設する際には、駆動モータによって送電線に沿って自走する自走機をセットする。この自走機には、後述するパイロットロープを連結するための連結棒が垂下されている。この連結棒は、送電線に対して所定の距離、即ちクレーンのブームが接触しない距離を確保できる長さを有している。また、前記パイロットロープは、自走機が前記目安ロープを引っ張って走行できる能力がないため、目安ロープよりも軽量で、かつ目安ロープを十分に引っ張れる強度を有するロープを鉄塔間に予め架設しておくためのものである。
【０００３】
そして、鉄塔間の送電線付近でクレーン作業をする場合、自走機の連結棒に一対のパイロットロープを連結して、一方の鉄塔から他方の鉄塔へ自走機を走行させて、パイロットロープを予め架設する。つぎに、一方の鉄塔側のパイロットロープの端部に目安ロープを連結して、他方の鉄塔側から一対のパイロットロープを引っ張って、目安ロープを送電線の下方に架設する。
【０００４】
このようにして架設された目安ロープを基準にして、該目安ロープの位置からクレーンのブームが超えないように、即ち該ブームが送電線に接触しないように、作業者が目視によって安全を確保している。
【０００５】
また、送電線の下方に、縄梯子のように構成された防護ネットを張設する従来からの工法がある。この工法は、送電線の旧電線を新電線に移設する作業であり、この作業に関する文献が出願されている（例えば、特許文献１）。この文献によれば、送電線の下方に防護ネットを張設することで、旧電線を新電線に移線作業する場合の旧電線または新電線の地上構造物への落下を防止している。
【先行技術文献】
【特許文献】
【０００６】
【特許文献１】特開２００７−３７３１４号公報
【発明の概要】
【発明が解決しようとする課題】
【０００７】
しかしながら、鉄塔間において送電線付近でクレーン作業する際に、目安ロープがクレーンのブームの接触によって切断された場合、切断された目安ロープが地上または地上の構造物に落下してしまうという問題がある。
【０００８】
また、前記公報の場合、旧電線を新電線に移線作業する場合の旧電線または新電線の地上構造物への落下を防止するための防護ネットであって、該防護ネットは、切断された目安ロープの落下を阻止する構成にはなっていない。
【０００９】
そこで、本発明は、重機のブームの接触によって切断された目安ロープの地上への落下を阻止することができる目安ロープ落下防止装置およびその張設方法を提供することを課題とする。
【課題を解決するための手段】
【００１０】
本発明に係る目安ロープ落下防止装置は、クレーンなどの重機のブームがそれを超えて、鉄塔Ｔ１，Ｔ２間に配線された送電線Ｃ，…に接触することを防止するために、送電線Ｃ，…の下方に平行して、鉄塔Ｔ１，Ｔ２間に架設される複数の目安ロープ２，２と、目安ロープ２，２に連結できるように構成される連結部材５，２０が所定の間隔をおいて配置され、各連結部材５，２０によって、一対の目安ロープ２，２を全長に亘って交互に連結する単数または複数の渡りロープ３とを備えたことを特徴とする。
【００１１】
この場合、一対の目安ロープ２，２に、渡りロープ３の各連結部材５，２０が交互に連結されることで、一対の目安ロープ２，２および渡りロープ３の全長に亘って張力が発生する一方、張力が発生した渡りロープ３によって、各目安ロープ２，２の複数箇所が連結されて支持されるようになる。これによって、クレーンなどの重機のブームが、一方の目安ロープ２に接触して、一方の目安ロープ２が切断されて落下したとしても、渡りロープ３の連結と張力によって、二分された目安ロープ２は落下途中で支持されるようになり、地上における歩行者や地上構造物に支障をきたすことがない。
【００１２】
また、本発明に係る目安ロープ落下防止装置は、クレーンなどの重機のブームがそれを超えて、鉄塔Ｔ１，Ｔ２間に配線された送電線Ｃ，…に接触することを防止するために、該送電線Ｃ，…の下方に平行して、鉄塔Ｔ１，Ｔ２間に架設される複数の目安ロープ２，２と、目安ロープ２に連結できるように構成される連結部材５，２０が所定の間隔をおいて配置され、該各連結部材５，２０によって、一方端の目安ロープ２から他方端の目安ロープ２に順次連結された後、他方端の目安ロープ２から一方端の目安ロープ２に順次連結され、さらに、この連結が、各目安ロープ２，２の全長に亘って繰り返される単数の渡りロープ３とを備えたことを特徴とする。
【００１３】
この場合、鉄塔Ｔ１，Ｔ２間に架設された各目安ロープ２，２に、単数の渡りロープ３の各連結部材５，２０が順次連結されることで、各目安ロープ２および渡りロープ３の全長に亘って張力が発生する一方、張力が発生した単数の渡りロープ３によって、各目安ロープ２の複数箇所が連結されて支持されるようになる。これによって、前記と同様の作用効果を奏する。
【００１４】
また、本発明によれば、前記連結部材５を、一部が開閉できるフレーム６と、該フレーム６の上部に回転自在に支持され、目安ロープ２に引っ掛けられるローラ７と、重機のブームの接触によって切断された目安ロープ２の落下移動を、自重落下して圧接することで阻止できる重量を有し、フレーム６の内側下部に、目安ロープ２から離間する位置と、目安ロープ２に当接する位置とに自重落下によって移動するように設けられるストッパ８と、ローラ７の中心を通る鉛直線上に位置するように、フレーム６の下端部に設けられる渡りロープ３の挿通部９とで構成するようにしてもよい。
【００１５】
この場合、フレーム６の一部を開いて、該フレーム６の内側に、鉄塔Ｔ１，Ｔ２間に架設された目安ロープ２を挿入し、挿入された目安ロープ２に、フレーム６の上部に支持されたローラ７を引っ掛ける。これによって、連結部材５は目安ロープ２に吊り下げられた状態で走行できるようになる。この際、ストッパ８は、フレーム６の内側下部に設けられているので、自重によって目安ロープ２から離間した位置にある。そして、重機のブームによって、目安ロープ２が切断された場合、切断された目安ロープ２と、該目安ロープ２に連結された連結部材５とは、地上に向かって自重落下するようになるが、この落下する過程において、連結部材５の下端部の挿通部９に渡りロープ３が挿通されているので、落下する連結部材５は渡りロープ３に引っ張られて反転するようになる。この反転によって、目安ロープ２から離間しているストッパ８が、目安ロープ２に圧接する位置に自重で落下移動し、目安ロープ２の落下移動が、ストッパの自重落下による圧接によって途中で阻止されるようになる。
【００１６】
また、本発明によれば、前記連結部材２０を、一部が開閉できるフレームで構成し、前記目安ロープ２に、該フレームの内周部２０ａよりもやや大径の外径を有する弾性部材で構成されるストッパ２５を所定の間隔をおいて配置するようにしてもよい。
【００１７】
この場合、連結部材２０を構成するフレームの一部を開いて、該フレームの内側に、鉄塔Ｔ１，Ｔ２間に架設された目安ロープ２を挿入する。この際、ストッパ２５は、フレームの内径よりもやや大きい外径を有する弾性部材で構成されているので、目安ロープ２が切断された場合、目安ロープ２および連結部材２０が地上に向かって落下移動する際に、ストッパ２５が変形して、連結部材２０のフレームがストッパ２５を通り抜けるようになるが、渡りロープ３の連結は維持されるので、連結部材２０に対するストッパ２５の摩擦抵抗と、渡りロープ３の連結および張力とによって、目安ロープ２および連結部材２０の落下移動は途中で阻止されるようになる。
【００１８】
本発明に係る目安ロープ落下防止装置の張設方法は、クレーンなどの重機のブームがそれを超えて、鉄塔Ｔ１，Ｔ２間に配線された送電線Ｃ，…に接触することを防止するための複数の目安ロープ２，２を、該送電線Ｃ，…の下方に平行するように、鉄塔Ｔ１，Ｔ２間に架設した後、目安ロープ２に連結できるように構成される連結部材５，２０が所定の間隔をおいて配置される単数または複数の渡りロープ３を、各連結部材５，２０によって、一対の目安ロープ２，２を全長に亘って交互に連結するようにしたことを特徴とする。
【００１９】
また、本発明に係る目安ロープ落下防止装置の張設方法は、クレーンなどの重機のブームがそれを超えて、鉄塔Ｔ１，Ｔ２間に配線された送電線Ｃ，…に接触することを防止するための複数の目安ロープ２，…を、該送電線Ｃ，…の下方に平行するように、鉄塔Ｔ１，Ｔ２間に架設した後、目安ロープ２に連結できるように構成される連結部材５，２０が所定の間隔をおいて配置される単数の渡りロープ３を、各連結部材５，２０によって、一方端の目安ロープ２から他方端の目安ロープ２に順次連結した後、他方端の目安ロープ２から一方端の目安ロープ２に順次連結し、さらに、この連結を、各目安ロープ２，…の全長に亘って繰り返すようにしたことを特徴とする。
【発明の効果】
【００２０】
以上のように、本発明によれば、渡りロープに所定の間隔をおいて配置された複数の連結部材が、一対の目安ロープの全長に亘って交互に連結するようにしたので、クレーンなどの重機のブームの接触によって、一方の目安ロープが切断されて落下したとしても、渡りロープの連結と張力によって、二分された各目安ロープは落下途中で支持されるようになり、地上への悪影響を阻止することができるという優れた効果を奏し得る。
【図面の簡単な説明】
【００２１】
【図１】本発明の一実施形態に係る目安ロープ落下防止装置が張設された状態を示す概略斜視図。
【図２】（ａ）は、図１の連結部材を示す正面図、（ｂ）は、連結部材のフレームの一部を開いて、フレームの内側に目安ロープを挿入した状態を示す図。
【図３】３本の引きロープを自走機に連結した状態を示す斜視図。
【図４】（ａ）は渡りロープに固着された連結部材を、一対の目安ロープに交互に掛け渡した状態を示す図、（ｂ）は一対の目安ロープに交互に連結された渡りロープを一方の鉄塔側から他方の鉄塔側に引っ張った状態を示す図、（ｃ）は一方の目安ロープが重機のブームによって切断された状態を示す図。
【図５】渡りロープに固着された連結部材を、一対の目安ロープに交互に掛け渡した状態を示す斜視図。
【図６】一方の目安ロープが切断されたことによって、該目安ロープおよび連結部材が自重で落下する過程と、その落下移動を途中で阻止するストッパの移動過程を示す図。
【図７】連結部材の変形例を示す図。
【図８】（ａ）は第２実施形態に係る目安ロープ落下防止装置の連結部材を示す図、（ｂ）は、該連結部材のフレームの一部を開いて目安ロープをフレームの内側に挿入する状態を示す図。
【図９】（ａ）は目安ロープに取り付けられるストッパを示す図、（ｂ）は連結部材のフレームの内周部をストッパが通り抜ける状態を示す図。
【図１０】一対の目安ロープに連結部材が交互に連結された状態を示す斜視図。
【図１１】（ａ）は３本の目安ロープに１本の渡りロープを連結する際の変形例を示す図、（ｂ）は３本の目安ロープに２本の渡りロープを連結する際の変形例を示す図。
【図１２】３本の目安ロープに２本の渡りロープを連結する際の変形例を示す概略斜視図。
【発明を実施するための形態】
【００２２】
以下、本発明の一実施形態に係る目安ロープ落下防止装置について図１〜図１２を参照しつつ説明する。
【００２３】
（第１実施形態）
本発明の第１実施形態に係る目安ロープ落下防止装置は、図１に示す如く、クレーンなどの重機のブームが超えてはいけない位置の鉄塔Ｔ１，Ｔ２の骨組みに水平に取り付けられた一対の支持部材１，１と、重機のブームが鉄塔Ｔ１，Ｔ２間に配線された送電線Ｃ，…に接触することを防止するために、送電線Ｃ，…の下方に平行して、鉄塔Ｔ１，Ｔ２間に架設される一対の目安ロープ２，２と、一対の目安ロープ２，２を全長に亘って交互に連結する１本の渡りロープ３とを備えている。
【００２４】
支持部材１は、角管状で、各目安ロープ２，２および渡りロープ３の端部を所定の間隔をおいて固定する長さを有している。
【００２５】
目安ロープ２は、直径が１６ｍｍで、鉄塔Ｔ１，Ｔ２間に架設されるに充分な長さを有しており、絶縁性素材によって作製されている。
【００２６】
渡りロープ３は、直径が７ｍｍとなっており、一対の目安ロープ２，２に交互に連結するに充分な長さを有しており、目安ロープ２と同様に、絶縁性素材によって作製されている。また、渡りロープ３は、目安ロープ２に連結するための連結部材としての吊滑車５が、所定の間隔をおいて複数配置されている。この吊滑車５は、図２（ａ），（ｂ）に示すように、正面視略五角形状を呈したフレーム６と、後述するフレーム６の可動側フレーム６ｂに回転自在に水平支持されたローラ７と、固定側フレーム６ａの側部の内側に基端部が回動自在に支持されたストッパ８と、固定側フレーム６ａの下端部に渡りロープ３が挿通される環状の挿通部９とを備えている。
【００２７】
フレーム６は、二股状の固定側フレーム６ａと、固定側フレーム６ａの一方の先端部に、一端部が回動自在に支持されるとともに、固定側フレーム６ａの他方の先端部に、他端部が係脱自在に係止する可動側フレーム６ｂとを備えている。
【００２８】
固定側フレーム６ａは、外側に向うにしたがって大きく開口されるテーパ部６０ａ，６０ａと、該テーパ部６０ａ，６０ａの各先端部から直線状に延出された一対の直線部６１ａ，６１ａと、一方の直線部６１ａに設けられた支持部６２ａと、他方の直線部６２ａに形成された係止部６３ａとを有している。そして、上述した挿通部９が、ローラ７の中心を通る鉛直線上に位置するように、固定側フレーム６ａの下端部から延出された直線部６４ａに固着されている。なお、挿通部９は、図示していないが、挿通された渡りロープ３の所定の位置に固定するためのねじが螺着されている。
【００２９】
可動側フレーム６ｂは、前記ローラ７が回転自在に支持された水平部６０ｂと、該水平部６０ｂの両端部から直角に折り曲げられた一対の折曲部６１ｂ、６１ｂと、一方の折曲部６１ｂに形成され、固定側フレーム６ａの支持部６２ａに回動支持される被支持部６２ｂと、他方の折曲部６１ｂに形成され、固定側フレーム６ａの係止部６３ａに係合する係合部６３ｂとを有している。
【００３０】
なお、固定側フレーム６ａと可動側フレーム６ｂの係合は、人力によって解除される程度の係合力ではあるが、ローラ７が目安ロープ２に引っ掛けられた状態で渡りロープ３が挿通されたとしても、その係合は解除されない程度の係合力を有している。
【００３１】
そして、上述したように、ローラ７と挿通部９との中心は、同一鉛直線上に位置しているので、ローラ７が引っ掛けられた状態の目安ロープ２と、固定側フレーム６ａの挿通部９に挿通された渡りロープ３との軸心は同一鉛直線上に上下に位置するようになっている。
【００３２】
ローラ７は、可動側フレーム６ｂを開いた状態にして、目安ロープ２の上側の周面に接触するように引っ掛けられる。そして、目安ロープ２に引っ掛けられた状態においては、ローラ７の中心の真下に目安ロープ２の軸心が位置するようになっている。即ち、目安ロープ２に対してローラ７はバランスよく円滑に走行できるようになっている。
【００３３】
ストッパ８は、上述したように、基端部が固定側フレーム６ａの側部に回動自在に支持されており、目安ロープ２に圧接するための凹部８ａが形成され、全体として円弧状の板体からなる。また、ストッパ８は、重機のブームが目安ロープ２に接触して切断された場合に、切断された目安ロープ２の落下移動を自重落下して圧接することによって阻止できる重量を有している。そして、ストッパ８は、吊滑車５のローラ７が目安ロープ２に引っ掛けられた状態においては、自重によって目安ロープ２から離間する位置にある。一方、目安ロープ２が切断されて、吊滑車５が反転した場合は、切断された目安ロープ２に圧接する位置に自重落下によって移動するようになっている（図６参照）。なお、吊滑車５の反転動作については、後述の使用態様において説明する。
【００３４】
ここで、一対の目安ロープ２，２に交互に連結した渡りロープ３を、目安ロープ２，２の全長に亘って張設する際に使用する自走機１５の構成について図３を参照して簡単に説明する。自走機１５は、送電線Ｃの上側の周面に引っ掛けられて送電線Ｃを移動する一対のローラ１６，１６、図示していない該各ローラ１６，１６を回動させる駆動モータ、該駆動モータの回転数を減速させる減速機構部、遠隔操作によって所要の動作ができるように構成される制御装置を備えた箱状の本体１７と、該本体１７の底部に基部が固着されて、該底部から垂下された連結棒１８と、該連結棒１８の先端部に固着され、複数の引きロープＲ，…が連結される環状の連結部１９とによって構成されている。
【００３５】
つぎに目安ロープ落下防止装置の使用態様について図１〜図６を参照して説明する。まず、図１に示すように、重機のブームが越えてはいけない位置の両鉄塔Ｔ１，Ｔ２の骨組みにそれぞれ一対の支持部材１，１を水平に取り付ける。そして、送電線Ｃに図３に示す自走機１５をセットして、自走機１５の連結棒１８の連結部１９に、吊り部材Ａを介して複数（本実施形態では３本）の引きロープＲ，…の一端部を連結して、遠隔操作によって自走機１５を送電線Ｃに沿って走行させ、３本の引きロープＲ，…を一方の鉄塔Ｔ１側から他方の鉄塔Ｔ２側に架設する。
【００３６】
その後、両側の引きロープＲ，Ｒの他端部に、一対の目安ロープ２の一端部を連結する。この状態において、渡りロープ３の所定の位置に配置された各吊滑車５，…の可動側フレーム６ｂと固定側フレーム６ａの係合を解除した状態にしておく（図２（ｂ）参照）。そして、図４（ａ）に示すように、前記係合が解除された各吊滑車５，…を、一方の目安ロープ２から他方の目安ロープ２に交互に引っ掛けて、渡りロープ３によって各目安ロープ２，２間を連結する。
【００３７】
つぎに、図１、図４（ｂ）、図５に示すように、渡りロープ３および各目安ロープ２，２の他端部を支持部材１に固定し、渡りロープ３と各目安ロープ２，２を、引きロープＲ，…を介して、一方の鉄塔Ｔ１側から他方の鉄塔Ｔ２側に引っ張って、各目安ロープ２，２を鉄塔Ｔ１，Ｔ２間に架設するとともに、渡りロープ３を各目安ロープ２，２の全長に亘って張設する。この際、目安ロープ２，２に沿って張設された渡りロープ３は、繰り返し折れ曲がった状態、即ち、平面視ジグザグの状態に張設されるようになる。また、渡りロープ３が目安ロープ２，２に沿って張設されるにしたがって、一対の目安ロープ２，２の間隔Ｇは少し狭くなる。即ち、各目安ロープ２，２は、渡りロープ３の張力と連結によって支持されることになる。
【００３８】
また、渡りロープ３が目安ロープ２，２の全長に亘って張設されると、渡りロープ３の各吊滑車５，…が所定の間隔をおいて配置されることになる。その結果、各目安ロープ２，２は、複数に区分けされるようになる。
【００３９】
そして、目安ロープ２の各区分のうち、いずれかの区分において、重機のブームが一方の目安ロープ２に接触して切断された場合、該目安ロープ２は、図１および図４（ｃ）に示すように、その区分において二分されて、目安ロープ２の張力と荷重（吊滑車５の重量も含む）によって、支持部材１に固定された固定端２ａを支点にして地上構造物に落下しようとする。
【００４０】
一方、吊滑車５，…は、図６に示すように、切断されていない側の吊滑車５，…の挿通部９を支点として、切断された側の吊滑車５，…が渡りロープ３に引っ張られながら落下移動し、切断されていない側の吊滑車５，…の真下に切断された側の吊滑車５，…が反転して位置するようになる。この際、切断された側および切断されていない側の両方のストッパ８，…は、目安ロープ２，２から離間した位置にある。そして、切断された側のストッパ８，…は、この位置から真下に向かって落下移動するにしたがって、目安ロープ２に圧接する位置に移動することになる。そして、切断されていない側の吊滑車５，…の真下に切断された側の吊滑車５，…が反転して位置すると、切断された側のストッパ８，…は、切断された目安ロープ２に圧接し、該目安ロープ２の落下移動が阻止されることになる。
【００４１】
また、図４（ｃ）に示すように、切断された箇所の両吊滑車５，５の間隔Ｈは、張設された時の両吊滑車５，５の間隔ｈよりもやや大きくなるものの、切断されていない目安ロープ２に各吊滑車５，…が掛止状態であるとともに、切断された目安ロープ２の重量によって、渡りロープ３の張力は維持されるので、渡りロープ３の連結状態は大きく変化することはない。したがって、切断された目安ロープ２の互いの自由端２ｂ，２ｂは、落下移動するにしたがって離間しようとするが、その落下移動が吊滑車５のストッパ８の圧接によって途中で阻止された状態になり、この状態で、切断されていない目安ロープ２に渡りロープ３を介して吊り下げられることになる。
【００４２】
つまり、切断された目安ロープ２の落下移動は、渡りロープ３の張力および連結と、吊滑車５のストッパ８の圧接との相乗効果によって、途中で阻止されることになる。
【００４３】
このように、第１実施形態では、一対の目安ロープ２，２を１本の渡りロープ３で連結することに加えて、連結部材５，…に設けたストッパ８，…による目安ロープ２への圧接によって、切断された目安ロープ２の落下移動を阻止することができる。
【００４４】
なお、本発明は、前記第１実施形態に限定されるものではなく、本発明の要旨を逸脱しない範囲で、適宜変更することは可能である。
【００４５】
例えば、前記第１実施形態の場合、円弧状の板体からなるストッパ８の基部を、固定側フレーム６ａの一側に回動支持するようにしたが、図７に示すように、目安ロープ２に圧接する凹部８０ａが中央部に形成されるとともに、両端部から外方に延出された支軸８１，８１を有する塊状のストッパ８０を用いてもよい。そして、支軸８１，８１の端部を、固定側フレーム６ａの両側部に形成されたガイド溝６５ａ，６５ａに遊挿し、ストッパ８０を上下動自在にする。即ち、目安ロープ２が挿通された状態においては、支軸８１，８１の端部がガイド溝６５ａ，６５ａの下端部に当接して、ストッパ８０は目安ロープ２から離間する一方、目安ロープ２が切断されて、吊滑車５が反転した場合、ストッパ８０は、自重によって、ガイド溝６５ａ，６５ａの下端部から上端部側に移動して、目安ロープ２に圧接する。
【００４６】
（第２実施形態）
つぎに第２実施形態に係る目安ロープ落下防止装置について図８〜図１０を参照して説明する。第２実施形態に係る目安ロープ落下防止装置と、第１実施形態に係る目安ロープ落下防止装置との異なる点は、連結部材として吊滑車を用いることはなく、また、連結部材に設けられていたストッパが目安ロープに配置された点にある。
【００４７】
連結部材２０は、図８（ａ），（ｂ）に示すように、略円環状のフレームで構成され、渡りロープ３に所定の間隔をおいて配置されている。また、連結部材２０は、目安ロープ２を挿通するのに十分で、且つ後述するストッパ２５の外径よりも小径の内周部２０ａを有し、上下方向の中心線の延長線上に、渡りロープ３が挿通される一対の挿通部２０ｂが形成されている。また、連結部材２０は、その一側（図３においては右側）の一部が切除されている。そして、切除された開放端部２０ｃ、２０ｄを開閉するための係止片２１が設けられている。この係止片２１の基部は、一方の開放端部２０ｃに回動自在に支持されるとともに、巻きばね（図示せず）によって弾性付勢されている。したがって、係止片２１の先端部は、他方の開放端部２０ｄに対して内側から接離自在に圧接するようになっている。
【００４８】
そして、連結部材２０の内周部２０ａに、目安ロープ２が挿通されると、内周部２０ａの上側の内面に目安ロープ２の上側の外周面が当接するようになる。つまり、目安ロープ２と渡りロープ３とが同一鉛直線上に位置するようになる。
【００４９】
ストッパ２５は、ゴム製で円板状に作製されており、各連結部材２０，…の間に位置するように、目安ロープ２に所定の間隔をおいて配置されている。そして、ストッパ２５は、図９（ａ），（ｂ）に示すように、中心部に渡りロープ３を挿通するための通し孔２５ａが形成され、該通し孔２５ａの径外方向、即ちストッパ２５の半径方向に沿ってスリット２５ｂが形成されている。このスリット２５ｂによって、ストッパ２５の一部が切り離されるようになっている。そして、スリット２５ｂを利用してストッパ２５を変形させて、スリット２５ｂの間隔を広げることにより、渡りロープ３を通し孔２５ａに挿入することができる。なお、ストッパ２５としては、連結部材２０，…を目安ロープ２の一方端側から他方端側へ挿通する方向のみに変形する弾性部材であってもよい。
【００５０】
つぎに目安ロープ落下防止装置の使用態様について図３、図９および図１０を参照して説明する。前記第１実施形態と同様に、予め、一対の目安ロープ２，２に渡りロープ３の連結部材２０，…を交互に連結しておく一方、送電線Ｃに、図３に示す自走機５１をセットし、該自走機１５に引きロープＲを連結して、引きロープＲを介して、目安ロープ２，２と渡りロープ３とを一方の鉄塔Ｔ１側から他方の鉄塔Ｔ２側に引っ張ると、連結部材２０の内周部２０ａがストッパ２５の外周部に圧接し、図９（ｂ）に示すように、ストッパ２５が連結部材２０の内周部２０ａによって押し縮められて変形され、連結部材２０がストッパ２５を通り抜けて反対側に位置するようになる。この通り抜けを目安ロープ２の全長に亘って繰り返すようにすれば、渡りロープ３を鉄塔Ｔ１，Ｔ２間に張設することができる。
【００５１】
そして、各目安ロープ２，２は、所定の間隔をおいて配置された連結部材５，…によって複数の区分されるようになり、各区分のうち、いずれかで、一方の目安ロープ２が切断されると、切断された目安ロープ２は、渡りロープ３の連結および張力と、ストッパ２５の摩擦抵抗との相乗効果によって、目安ロープ２の落下が途中で阻止される。
【００５２】
このように、第２実施形態では、一対の目安ロープ２，２を１本の渡りロープ３で連結することに加えて、目安ロープ２，２に配置したストッパ２５，…と渡りロープ３の各連結部材２０，…との摩擦抵抗によって、切断された目安ロープ２の落下移動を阻止することができる。
【００５３】
また、本発明は、前記実施形態２に限定されるものではなく、本発明の要旨を逸脱しない範囲で、適宜変更することは可能である。
【００５４】
例えば、前記第２実施形態の場合、円板状のゴム板を使用したが、鋭角に二つに折り曲げた板ばね、あるいは円錐状の弾性部材を使用してもよい。要は、渡りロープを張設する際に、その張設方向に対して抵抗なく変形するが、その反対方向に対しては、変形することなく、連結部材の移動に抵抗するような形状であればよい。
【００５５】
また、前記各実施形態１，２のいずれの場合も、２本の目安ロープ２，２に、１本の渡りロープ３に配置された連結部材５，２０を交互に連結するようにしたが、３本の目安ロープ２，…に、１本または２本の渡りロープ３を連結するようにしてもよい。例えば、図１１（ａ）に示すように、１本の渡りロープ３を、一方の目安ロープ２から中央の目安ロープ２に連結した後、中央の目安ロープ２から他方の目安ロープ２に連結する一方、他方の目安ロープ２から中央の目安ロープ２に連結した後、中央の目安ロープ２から一方の目安ロープ２に連結するようにしてもよい。この場合、１本の渡りロープ３が各目安ロープ２，…の全長に亘って張設された状態においては、各目安ロープ２，…に渡りロープ３が交互に連結されることになる。また、図１１（ｂ）に示すように、一方の目安ロープ２と中央の目安ロープ２に、一方の渡りロープ３を交互に連結する一方、各目安ロープ２，…の連結位置Ｐ，…が交互に位置するように、他方の目安ロープ２と中央の目安ロープ２に、他方の渡りロープ３を交互に連結するようにしてもよい。また、図１２に示すように、一方の目安ロープ２と中央の目安ロープ２に、一方の渡りロープ３を交互に連結する一方、中央の目安ロープ２の連結位置Ｐ，…が互いに近接するように、他方の目安ロープ２と中央の目安ロープ２に、他方の渡りロープ３を交互に連結するようにしてもよい。なお、連結部材としては、図２および図８に示す連結部材５，２０を使用するものとする。
【符号の説明】
【００５６】
１…支持部材、２…目安ロープ、２ａ…固定端、２ｂ…自由端、３…渡りロープ、５…連結部材（吊滑車）、６…フレーム、６ａ…固定側フレーム、６ｂ…可動側フレーム、７…ローラ、８…ストッパ、８ａ…凹部、９…挿通部、１５…自走機、１６…ローラ、１７…本体、１８…連結棒、１９…連結部、２０…連結部材、２０ａ…内周部、２０ｂ…挿通部、２０ｃ，２０ｄ…開放端部、２１…係止片、２５…ストッパ、２５ａ…通し孔、２５ｂ…スリット、６５ａ…ガイド溝、８０…ストッパ、８０ａ…凹部、８１…支軸、Ｃ…送電線、Ｇ，Ｈ，ｈ…間隔、Ｐ…連結位置、Ｒ…引きロープ、Ｔ１，Ｔ２…鉄塔
【図１】
2011172448.tif 000003
【図２】
2011172448.tif 000004
【図３】
2011172448.tif 000005
【図４】
2011172448.tif 000006
【図５】
2011172448.tif 000007
【図６】
2011172448.tif 000008
【図７】
2011172448.tif 000009
【図８】
2011172448.tif 000010
【図９】
2011172448.tif 000011
【図１０】
2011172448.tif 000012
【図１１】
2011172448.tif 000013
【図１２】
2011172448.tif 000014